(57)【要約】  本発明は、通信技術の分野に関し、異なるビーム間で頻繁にユーザをハンドオーバすることにより引き起こされる頻繁なＲＲＣ再構成という課題を解決するための、信号処理方法、デバイス及びシステムを提供する。上記方法は、少なくとも１つの信号リソースセットを、基地局により、ユーザ機器ＵＥへ通知する段階であって、各信号リソースセットは少なくとも１つの信号リソースに対応し、同じ信号リソースセットにおける異なる公衆信号リソースは同じ設定情報を有する、通知する段階と、上記少なくとも１つの信号リソースセットにおける信号リソースの設定情報に基づいて、信号を基地局により上記ＵＥへ送信する段階と、を備えてよい。
2019530301.tif 000002
【特許請求の範囲】
【請求項１】
基地局であって、
少なくとも１つの信号リソースセットをユーザ機器（ＵＥ）へ通知するように構成される送信ユニット
を備え、
各信号リソースセットは少なくとも１つの信号リソースに対応し、同じ信号リソースセットにおける異なる信号リソースは同じ設定情報を有し、
前記送信ユニットが、前記少なくとも１つの信号リソースセットにおける信号リソースの設定情報に基づいて、信号を、前記ＵＥへ送信するように更に構成された、基地局。
【請求項２】
前記信号リソースの前記設定情報が、前記信号リソースの順序設定、前記信号リソースのスクランブル設定及び前記信号リソースが有するランダムアクセスチャネルの設定情報のうちの少なくとも１つ又は複数を備える、請求項１に記載の基地局。
【請求項３】
前記送信ユニットが、
上位層シグナリング、制御シグナリング又は前記信号とは異なる別の信号を用いることで、前記少なくとも１つの信号リソースセットを前記ＵＥへ通知するように具体的に構成され、
前記少なくとも１つの信号リソースセットにおける前記信号リソースの前記設定情報は、前記上位層シグナリング又は前記制御シグナリングを用いることで前記基地局により前記ユーザ機器へ通知される、請求項１又は２に記載の基地局。
【請求項４】
前記ＵＥにより第ｉ回目に送信されるランダムアクセスチャネルを受信するように構成される受信ユニット
を更に備え、
前記ＵＥにより前記第ｉ回目に送信される前記ランダムアクセスチャネルに対応する信号リソースセットは、前記ＵＥにより第（ｉ−１）回目に送信されるランダムアクセスチャネルに対応する信号リソースセットとは異なり、
ｉは、２に等しいか又はそれより大きい整数である、請求項１から３のいずれか一項に記載の基地局。
【請求項５】
前記ＵＥにより第ｉ回目に送信されるアップリンクサウンディング参照信号を受信するように構成される受信ユニット
を更に備え、
前記ＵＥにより前記第ｉ回目に送信される前記アップリンクサウンディング参照信号に対応する信号リソースセットは、前記ＵＥにより第（ｉ−１）回目に送信されるアップリンクサウンディング参照信号に対応する信号リソースセットと同じであり、
ｉは、２に等しいか又はそれより大きい整数である、請求項１から３のいずれか一項に記載の基地局。
【請求項６】
前記ＵＥにより第ｉ回目に送信される信号リソースインデックスを受信するように構成される受信ユニット
を更に備え、
前記ＵＥにより前記第ｉ回目に送信される前記信号リソースインデックスに対応する信号リソースセットは、前記ＵＥにより第（ｉ−１）回目に送信される信号リソースインデックスに対応する信号リソースセットとは異なり、
ｉは、２に等しいか又はそれより大きい整数である、請求項１から５のいずれか一項に記載の基地局。
【請求項７】
前記信号が、ブロードキャストチャネル、同期信号、セル固有の参照信号、システム情報及びアップリンクサウンディング参照信号のうちの少なくとも１つを有する、請求項１に記載の基地局。
【請求項８】
ユーザ機器（ＵＥ）であって、
基地局により通知される少なくとも１つの信号リソースセットを取得するように構成される受信ユニット
を備え、
各信号リソースセットは少なくとも１つの信号リソースに対応し、同じ信号リソースセットにおける異なる信号リソースは同じ設定情報を有し、
前記受信ユニットが、前記少なくとも１つの信号リソースセットにおける信号リソースの設定情報に基づいて前記基地局により送信される信号を受信するように更に構成される、ユーザ機器（ＵＥ）。
【請求項９】
前記信号リソースの前記設定情報が、前記信号リソースの順序設定、前記信号リソースのスクランブル設定及び前記信号リソースが有するランダムアクセスチャネルの設定情報のうちの少なくとも１つ又は複数を備える、請求項８に記載のＵＥ。
【請求項１０】
前記受信ユニットが、
上位層シグナリング、制御シグナリング又は前記信号とは異なる別の信号を用いることで前記基地局により送信される設定情報を取得するように具体的に構成され、
前記少なくとも１つの信号リソースセットにおける前記信号リソースの前記設定情報は、前記上位層シグナリング又は前記制御シグナリングを用いることで前記基地局により前記ＵＥへ通知される、請求項８又は９に記載のＵＥ。
【請求項１１】
前記ＵＥにより第ｉ回目に送信されるランダムアクセスチャネルに対応する信号リソースセットは、前記ＵＥにより第（ｉ−１）回目に送信されるランダムアクセスチャネルに対応する信号リソースセットとは異なると決定するように構成される決定ユニットと、
前記第ｉ回目に前記ランダムアクセスチャネルを前記基地局へ送信するように構成される送信ユニットと、
を更に備え、
ｉは、２に等しいか又はそれより大きい整数である、請求項８から１０のいずれか一項に記載のＵＥ。
【請求項１２】
前記ＵＥにより第ｉ回目に送信されるアップリンクサウンディング参照信号に対応する信号リソースセットは、前記ＵＥにより第（ｉ−１）回目に送信されるアップリンクサウンディング参照信号に対応する信号リソースセットと同じであると決定するように構成される決定ユニットと、
前記第ｉ回目に前記アップリンクサウンディング参照信号を前記基地局へ送信するように構成される送信ユニットと、
を更に備え、
ｉは、２に等しいか又はそれより大きい整数である、請求項８から１０のいずれか一項に記載のＵＥ。
【請求項１３】
前記ＵＥにより第ｉ回目に送信される信号リソースインデックスに対応する信号リソースセットは、前記ＵＥにより第（ｉ−１）回目に送信される信号リソースインデックスに対応する信号リソースセットとは異なると決定するように構成される決定ユニットと、
前記第ｉ回目に前記信号リソースインデックスを前記基地局へ送信するように構成される送信ユニットと、
を更に備え、
ｉは、２に等しいか又はそれより大きい整数である、請求項８から１１のいずれか一項に記載のＵＥ。
【請求項１４】
前記信号が、ブロードキャストチャネル、同期信号、セル固有の参照信号、システム情報及びアップリンクサウンディング参照信号のうちの少なくとも１つを有する、請求項８に記載のＵＥ。
【請求項１５】
請求項１から７のいずれか一項に記載の基地局と、
請求項８から１４のいずれか一項に記載の少なくとも１つのユーザ機器（ＵＥ）と
を備える、信号処理システム。
【発明の詳細な説明】
【技術分野】
【０００１】
本願は、２０１６年９月２９日に中国特許庁に出願された、「信号処理方法、デバイス及びシステム」と題する中国特許出願第２０１６１０８６７６７９．３号に基づく優先権を主張し、当該特許出願の全体は、参照により本明細書に組み込まれる。
【０００２】
本発明は、通信技術の分野に関する。具体的には、信号処理方法、デバイス及びシステムに関する。
【背景技術】
【０００３】
通信技術の発展に伴い、現在のスペクトルリソースが、増大するユーザの容量に対する要求を満たすことは困難である。この課題を解決すべく、より広い利用可能な帯域幅を有する高周波数帯域（特にミリメートル波の周波数帯域）が、徐々に、次世代通信システムの候補の周波数帯域となっている。しかしながら、上記高周波数帯域と、既存のロングタームエボリューション（英語：Long Term Evolution, LTE）システム等のシステムによりサポートされている動作周波数帯域（例えば３ＧＨｚよりも低い周波数帯域）との違いは、高周波数帯域がより大きな経路損失を引き起こすことである。特に、大気や植生等の要因の影響が、高周波数帯域の電波伝搬手順における経路損失を更に悪化させる。
【０００４】
高周波数帯域の電波伝搬手順における経路損失を低減し、高周波数シナリオでの信号伝送の受信可能範囲を向上すべく、現在、高周波数帯域での公衆のチャネル又は信号が、ビームフォーミング（アナログのビーム又はデジタル領域のビーム）に基づいて伝送されている。各成形ビームの作用下において、公衆のチャネル又は信号が、相応に、ユーザのグループをカバーする。ユーザは、ユーザに役立つ最善のチャネル伝送状態を有する成形ビームを選択すべく、異なる成形ビーム間でハンドオーバされ、これにより、全てのユーザが良好な受信可能範囲性能を有する。
【０００５】
異なる成形ビームに対応するチャネル伝送状態（例えば、遅延スプレッド及び経路損失）は異なるので、異なる成形ビームのチャネル又は信号の設定情報（例えば、パラメータ構成）もまた異なる。従って、ユーザが異なる成形ビーム間でハンドオーバされる場合、そのユーザは、ハンドオーバ後に、成形ビームのチャネル又は信号の設定情報に無線リソース制御（英語：Connection Reconfiguration Complete, RRC）再構成を実行する必要がある。例えば、ユーザが、成形ビーム１から成形ビーム２へハンドオーバされた場合に、成形ビーム１のチャネル及び信号（例えば、ブロードキャストチャネル、公衆制御チャネル、同期信号、又は公衆参照信号）の伝送もまた、これに対応して、成形ビーム２へハンドオーバされ、チャネル及び信号が、成形ビーム２での要求に基づいて再構成される。言い換えると、従来技術においては、ユーザがビーム間でハンドオーバされる毎に、ＲＲＣ再構成が生じる。この場合、ユーザが異なるビーム間で頻繁にハンドオーバされると、頻繁なＲＲＣ再構成という課題が生じる。
【発明の概要】
【０００６】
本願は、異なるビーム間で頻繁にユーザをハンドオーバすることにより引き起こされる頻繁なＲＲＣ再構成という課題を解決するための、信号処理方法、デバイス及びシステムを提供する。
【０００７】
以下の技術的解決手段が、前述の目的を実現すべく、本発明の実施形態で用いられる。
【０００８】
第１態様によれば、信号送信方法が提供される。  上記方法は、少なくとも１つの公衆情報過程を、基地局により、ユーザ機器ＵＥへ通知する段階であって、各公衆情報過程は少なくとも１つの公衆信号リソースに対応し、同じ公衆情報過程における異なる公衆信号リソースは同じ設定情報を有する、通知する段階と、上記少なくとも１つの公衆情報過程における公衆信号リソースの設定情報に基づいて、公衆信号を上記基地局により上記ＵＥへ送信する段階と、を備えてよい。
【０００９】
各公衆信号リソースは、１つの成形ビームに対応してよい。
【００１０】
上記公衆信号リソースの上記設定情報が、上記公衆信号リソースの順序設定、上記公衆信号リソースのスクランブル設定及び上記公衆信号リソースが有するランダムアクセスチャネルの設定情報のうちの少なくとも１つ又は複数を有してよい。
【００１１】
このように、同じ設定情報に対応する異なる公衆信号リソースが同じ公衆情報過程に置かれ、これにより、上記基地局は、上記同じ設定情報に基づいて、上記公衆信号リソースに対応する公衆信号を上記ＵＥへ送信してよい。異なる成形ビーム間で上記ＵＥがハンドオーバされる場合に、異なる成形ビームに対応する公衆信号リソースは同じ公衆情報過程にあり、上記公衆信号リソースの設定情報は変わらないままである。この場合、上記ＵＥはＲＲＣ再構成要求を上記基地局へ送信する必要がなく、上記基地局もまた、ＵＥの公衆信号にＲＲＣ再構成を実行する必要がない。
【００１２】
第１態様を参照すると、第１態様の実装態様において、基地局は、上位層シグナリング、制御シグナリング又は上記公衆信号とは異なる別の公衆信号を用いることで、上記少なくとも１つの公衆情報過程を上記ＵＥへ通知してよく、ここで、上記公衆情報過程における上記公衆信号リソースの上記設定情報は、上記上位層シグナリング又は上記制御シグナリングを用いることで上記基地局により上記ユーザ機器へ通知される。
【００１３】
実際の適用において、上記ＵＥのランダムアクセスチャネルの伝送は、最適な公衆信号リソースと結び付けられるので、ＵＥが複数の公衆信号リソースから最適な公衆信号リソースを検出及び選択する場合に、ＵＥは、上記最適な公衆信号リソースに基づいて、上記ランダムアクセスチャネルを伝送する。ランダムアクセスチャネルの伝送が最適な公衆信号リソースと結び付けられるとは、ランダムアクセスチャネルの伝送リソース情報が、上記最適な公衆信号リソースにより設定されること、又は、上記最適な公衆信号リソースと上記ランダムアクセスチャネルに関連するアクセス応答情報とが同じ成形ビームに対応すること、又は、上記ランダムアクセスチャネルに対応する受信した成形ビームが上記最適な公衆信号リソースに対応する成形ビームと同じであること、を意味する。この場合、ＵＥが複数の成形ビームの間を頻繁にハンドオーバされると、頻繁なアクセス情報の再構成とランダムアクセス手順とが生じる。従って、この課題を回避すべく、第１態様を参照して、又は第１態様の実装態様を参照して、第１態様の別の実装態様において、上記方法は、上記ＵＥにより第ｉ回目に送信されるランダムアクセスチャネルに対応する公衆情報過程が上記ＵＥにより第（ｉ−１）回目に送信されるランダムアクセスチャネルに対応する公衆情報過程とは異なる場合に、上記ＵＥにより第ｉ回目に送信される上記ランダムアクセスチャネルを上記基地局により受信する段階、又は、上記ＵＥにより第ｉ回目に送信されるランダムアクセスチャネルに対応する公衆情報過程が上記ＵＥにより第（ｉ−１）回目に送信されるランダムアクセスチャネルに対応する公衆情報過程と同じである場合に、上記ＵＥにより第ｉ回目に送信される上記ランダムアクセスチャネルを上記基地局により受信する段階をスキップする段階、を更に備えてよく、ここで、ｉは２に等しいか又はそれより大きい整数である。
【００１４】
このように、ランダムアクセスチャネルを送信する場合に、ＵＥは、対応する公衆情報過程が異なる場合にのみ、新たなランダムアクセスチャネル手順を開始してよく、これにより、成形ビーム間でＵＥが頻繁にハンドオーバすることにより引き起こされる頻繁なアクセス情報の再構成とランダムアクセス手順とを回避し、設定シグナリング及びＵＥの電力消費を低減する。
【００１５】
加えて、実際の適用では、ＵＥのアップリンクサウンディング参照信号（英語：Sounding Reference Signal, SRS）の伝送が、また、最適な公衆信号リソースに結び付けられる。ＵＥは、複数の公衆信号リソースの検出に基づき最適な公衆信号リソースを選択してよく、最適な公衆信号リソースに基づいて上記ＳＲＳを伝送してよい。アップリンクサウンディング参照信号の伝送が最適な公衆信号リソースに結び付けられるとは、基地局が、最適な公衆信号リソースに対応する成形ビームを用いてアップリンクサウンディング参照信号を受信することを意味する。従って、ＵＥのアップリンクサウンディング参照信号の伝送が常に、比較的最適な受信した成形ビームに基づくことを保証すべく、第１態様を参照して、又は、第１態様の実装態様を参照して、第１態様の更に別の実装態様において、上記方法は、上記ＵＥにより第ｉ回目に送信されるアップリンクサウンディング参照信号に対応する公衆情報過程が上記ＵＥにより第（ｉ−１）回目に送信されるアップリンクサウンディング参照信号に対応する公衆情報過程と同じである場合に、上記ＵＥにより第ｉ回目に送信される上記アップリンクサウンディング参照信号を上記基地局により受信する段階であって、ここで、ｉは、２に等しいか又はそれより大きい整数である、受信する段階、又は、上記ＵＥにより第ｉ回目に送信されるアップリンクサウンディング参照信号に対応する公衆情報過程が上記ＵＥにより第（ｉ−１）回目に送信されるアップリンクサウンディング参照信号に対応する公衆情報過程とは異なる場合に、上記ＵＥにより第ｉ回目に送信される上記アップリンクサウンディング参照信号を上記基地局により受信する段階をスキップする段階、を更に備えてよい。
【００１６】
このように、ＵＥは、アップリンクサウンディング参照信号の伝送に対応する受信した成形ビームが、同じ公衆情報過程に配置される場合にのみ、上記アップリンクサウンディング参照信号を送信し、これにより、ＵＥのアップリンクサウンディング参照信号の伝送が常に、比較的最適な受信した成形ビームに基づくことを保証し、これにより、アップリンクサウンディング参照信号の伝送性能が保証される。
【００１７】
第１態様を参照して、又は、第１態様の実装態様を参照して、第１態様の更に別の実装態様において、上記方法は、上記ＵＥにより第ｉ回目に送信される公衆信号リソースインデックスに対応する公衆情報過程が上記ＵＥにより第（ｉ−１）回目に送信される公衆信号リソースインデックスに対応する公衆情報過程とは異なる場合に、上記ＵＥにより第ｉ回目に送信される上記公衆信号リソースインデックスを上記基地局により受信する段階であって、ここで、ｉは、２に等しいか又はそれより大きい整数である、受信する段階、又は、上記ＵＥにより第ｉ回目に送信される公衆信号リソースインデックスに対応する公衆情報過程が上記ＵＥにより第（ｉ−１）回目に送信される公衆信号リソースインデックスに対応する公衆情報過程と同じである場合に、上記ＵＥにより第ｉ回目に送信される上記公衆信号リソースインデックスを上記基地局により受信する段階をスキップする段階、を更に備えてよい。
【００１８】
このように、本解決手段を用いることで、公衆信号リソースインデックスを送信する場合に、ＵＥは、対応する公衆情報過程が異なる場合にのみ、上記公衆信号リソースインデックスを送信してよく、これにより、ＵＥが、ひとたび最適な公衆信号リソースを検出すると最適な公衆信号リソースに対応する公衆信号リソースインデックスを基地局へ報告してしまうことを回避し、ＵＥの電力消費を大いに低減する。
【００１９】
第２態様によれば、信号受信方法が提供される。上記方法は、基地局により通知される少なくとも１つの公衆情報過程をユーザ機器ＵＥにより取得する段階であって、各公衆情報過程は少なくとも１つの公衆信号リソースに対応し、同じ公衆情報過程における異なる公衆信号リソースは同じ設定情報を有する、取得する段階と、上記少なくとも１つの公衆情報過程における公衆信号リソースの設定情報に基づいて上記基地局により送信された公衆信号を、上記ＵＥにより受信する段階と、を更に備えてよい。
【００２０】
各公衆信号リソースは１つの成形ビームに対応してよい。
【００２１】
上記公衆信号リソースの上記設定情報が、上記公衆信号リソースの順序設定、上記公衆信号リソースのスクランブル設定及び上記公衆信号リソースが有するランダムアクセスチャネルの設定情報のうちの少なくとも１つ又は複数を有してよい。
【００２２】
このように、同じ設定情報に対応する異なる公衆信号リソースが、同じ公衆情報過程に設置される。ＵＥが、異なる成形ビーム間でハンドオーバされ、異なる成形ビームに対応する公衆信号リソースが同じ公衆情報過程にある場合に、公衆信号リソースの設定情報は変わらないままである。この場合、上記ＵＥはＲＲＣ再構成要求を上記基地局へ送信する必要がなく、上記基地局もまた、ＵＥの公衆信号にＲＲＣ再構成を実行する必要がない。
【００２３】
第２態様を参照すると、第２態様の実装態様において、ＵＥは、上位層シグナリング、制御情報又は上記公衆信号とは異なる別の公衆信号を用いることで上記基地局により送信される設定情報を取得してよい。上記少なくとも１つの公衆情報過程における上記公衆信号リソースの上記設定情報は、上記上位層シグナリング又は上記制御シグナリングを用いることで上記基地局により上記ＵＥへ通知される。
【００２４】
第２態様を参照して、又は、第２態様の実装態様を参照して、第２態様の別の実装態様において、上記方法は、上記ＵＥが、第ｉ回目に上記ＵＥにより送信されるランダムアクセスチャネルに対応する公衆情報過程が、上記ＵＥにより第（ｉ−１）回目に送信されるランダムアクセスチャネルに対応する公衆情報過程とは異なると決定する場合に、上記第ｉ回目に上記ランダムアクセスチャネルを上記基地局へ上記ＵＥにより送信する段階であって、ｉは、２に等しいか又はそれより大きい整数である、送信する段階、又は、上記ＵＥが、上記ＵＥにより第ｉ回目に送信されるランダムアクセスチャネルに対応する公衆情報過程が上記ＵＥにより第（ｉ−１）回目に送信されるランダムアクセスチャネルに対応する公衆情報過程と同じであると決定する場合に、上記第ｉ回目に上記ランダムアクセスチャネルを上記ＵＥにより上記基地局へ送信する段階をスキップする段階、を更に備えてよい。
【００２５】
このように、ランダムアクセスチャネルを送信する場合に、ＵＥは、対応する公衆情報過程が異なる場合にのみ、新たなランダムアクセスチャネル手順を開始してよく、これにより、成形ビーム間でＵＥが頻繁にハンドオーバすることにより引き起こされる頻繁なアクセス情報の再構成とランダムアクセス手順とを回避し、設定シグナリング及びＵＥの電力消費を低減する。
【００２６】
第２態様を参照して、又は、第２態様の実装態様を参照して、第２態様の更に別の実装態様において、上記方法は、上記ＵＥが、上記ＵＥにより第ｉ回目に送信されるアップリンクサウンディング参照信号に対応する公衆情報過程が、上記ＵＥにより第（ｉ−１）回目に送信されるアップリンクサウンディング参照信号に対応する公衆情報過程と同じであると決定する場合に、上記第ｉ回目に前記アップリンクサウンディング参照信号を上記基地局へ前記ＵＥにより送信する段階であって、ｉは、２に等しいか又はそれより大きい整数である、送信する段階、又は、上記ＵＥが、上記ＵＥにより第ｉ回目に送信されるアップリンクサウンディング参照信号に対応する公衆情報過程が、上記ＵＥにより第（ｉ−１）回目に送信されるアップリンクサウンディング参照信号に対応する公衆情報過程とは異なると決定する場合に、上記第ｉ回目に前記アップリンクサウンディング参照信号を上記基地局へ前記ＵＥにより送信する段階をスキップする段階、を更に備えてよい。
【００２７】
このように、ＵＥは、アップリンクサウンディング参照信号の伝送に対応する受信した成形ビームが、同じ公衆情報過程に配置される場合にのみ、上記アップリンクサウンディング参照信号を送信し、これにより、ＵＥのアップリンクサウンディング参照信号の伝送が常に、比較的最適な受信した成形ビームに基づくことを保証し、これにより、アップリンクサウンディング参照信号の伝送性能が保証される。
【００２８】
第２態様を参照して、又は、第２態様の実装態様を参照して、第２態様の更に別の実装態様において、上記方法は、
上記ＵＥが、上記ＵＥにより第ｉ回目に送信される公衆信号リソースインデックスに対応する公衆情報過程が、上記ＵＥにより第（ｉ−１）回目に送信される公衆信号リソースインデックスに対応する公衆情報過程とは異なると決定する場合に、上記第ｉ回目に上記公衆信号リソースインデックスを上記基地局へ上記ＵＥにより送信する段階であって、ｉは、２に等しいか又はそれより大きい整数である、送信する段階、又は、
上記ＵＥが、上記ＵＥにより第ｉ回目に送信される公衆信号リソースインデックスに対応する公衆情報過程が、上記ＵＥにより第（ｉ−１）回目に送信される公衆信号リソースインデックスに対応する公衆情報過程と同じであると決定する場合に、上記第ｉ回目に前記公衆信号リソースインデックスを上記基地局へ上記ＵＥにより送信する段階をスキップする段階、を更に備えてよい。
【００２９】
このように、本解決手段を用いることで、公衆信号リソースインデックスを送信する場合に、ＵＥは、対応する公衆情報過程が異なる場合にのみ、上記公衆信号リソースインデックスを送信してよく、これにより、ＵＥが、ひとたび最適な公衆信号リソースを検出すると最適な公衆信号リソースに対応する公衆信号リソースインデックスを基地局へ報告してしまうことを回避し、ＵＥの電力消費を大いに低減する。
【００３０】
第３態様によれば、基地局が提供される。基地局は、少なくとも１つの公衆情報過程をユーザ機器ＵＥへ通知するように構成される送信ユニットを備えてよく、各公衆情報過程は少なくとも１つの公衆信号リソースに対応し、同じ公衆情報過程における異なる公衆信号リソースは同じ設定情報を有し、上記送信ユニットが、上記少なくとも１つの公衆情報過程における公衆信号リソースの設定情報に基づいて公衆信号を上記ＵＥへ送信するように更に構成される。
【００３１】
第３態様の具体的な実装のために、第１態様又は第１態様の可能な実装による信号送信方法における基地局の行為機能を参照する。
【００３２】
第４態様によれば、基地局が提供される。上記基地局は、少なくとも１つの公衆情報過程をユーザ機器ＵＥへ通知するように構成され、ここで各公衆情報過程は少なくとも１つの公衆信号リソースに対応し、同じ公衆情報過程における異なる公衆信号リソースは同じ設定情報を有し、上記少なくとも１つの公衆情報過程における公衆信号リソースの設定情報に基づいて公衆信号を上記ＵＥへ送信するように構成される、送受信機、を備えてよい。
【００３３】
第４態様の具体的な実装のために、第１態様又は第１態様の可能な実装による信号送信方法における基地局の行為機能を参照する。
【００３４】
第５態様によれば、１つ又は複数のプログラムを格納する不揮発性コンピュータ可読記憶媒体が提供される。１つ又は複数のプログラムは複数の命令を備える。第３態様又は第４態様又は上記の可能な実装のうちのいずれか１つにおける基地局により上記命令が実行された場合に、上記基地局は、以下のイベント、即ち、少なくとも１つの公衆情報過程をユーザ機器ＵＥへ通知する段階であって、ここで、各公衆情報過程は少なくとも１つの公衆信号リソースに対応し、同じ公衆情報過程における異なる公衆信号リソースは同じ設定情報を有する、通知する段階、及び、上記少なくとも１つの公衆情報過程における公衆信号リソースの設定情報に基づいて公衆信号を上記ＵＥへ送信する段階、の実行が可能とされる。
【００３５】
第３態様、第４態様及び第５態様の具体的な実装のために、第１態様又は第１態様の可能な実装による信号送信方法における基地局の行為機能を参照する。詳細はここでは再び説明されない。加えて、第３態様、第４態様及び第５態様で提供される基地局は、第１態様と同じ有益な効果を実現することができる。
【００３６】
第６態様によれば、ＵＥが提供される。上記ＵＥは、基地局により通知される少なくとも１つの公衆情報過程を取得するように構成される受信ユニットを備えてよく、各公衆情報過程は少なくとも１つの公衆信号リソースに対応し、同じ公衆情報過程における異なる公衆信号リソースは同じ設定情報を有し、上記受信ユニットが、上記少なくとも１つの公衆情報過程における公衆信号リソースの設定情報に基づいて上記基地局により送信される公衆信号を受信するように更に構成される。
【００３７】
第６態様の具体的な実装のために、第２態様又は第２態様の可能な実装による信号受信方法におけるＵＥの行為機能を参照する。
【００３８】
第７態様によれば、ＵＥが提供される。上記ＵＥは、基地局により通知される少なくとも１つの公衆情報過程を取得するように構成され、ここで各公衆情報過程は少なくとも１つの公衆信号リソースに対応し、同じ公衆情報過程における異なる公衆信号リソースは同じ設定情報を有し、上記少なくとも１つの公衆情報過程における公衆信号リソースの設定情報に基づいて上記基地局により送信される公衆信号を受信するように構成される、送受信機、を備えてよい。
【００３９】
第７態様の具体的な実装のために、第２態様又は第２態様の可能な実装による信号受信方法におけるＵＥの行為機能を参照する。
【００４０】
第８態様によれば、１つ又は複数のプログラムを格納する不揮発性コンピュータ可読記憶媒体が提供される。１つ又は複数のプログラムは複数の命令を備える。第６態様又は第７態様又は上記の可能な実装のうちのいずれか１つにおけるＵＥにより上記命令が実行された場合に、上記ＵＥは、以下のイベント、即ち、基地局により通知される少なくとも１つの公衆情報過程を取得する段階であって、各公衆情報過程は少なくとも１つの公衆信号リソースに対応し、同じ公衆情報過程における異なる公衆信号リソースは同じ設定情報を有する、取得する段階、及び、上記少なくとも１つの公衆情報過程における公衆信号リソースの設定情報に基づいて上記基地局により送信される公衆信号を受信する段階、の実行が可能とされる。
【００４１】
第６態様、第７態様及び第８態様の具体的な実装のために、第２態様又は第２態様の可能な実装による信号受信方法におけるＵＥの行為機能を参照する。詳細はここでは再び説明されない。加えて、第６態様、第７態様及び第８態様で提供されるＵＥは、第２態様と同じ有益な効果を実現することができる。
【００４２】
第９態様によれば、第３態様、第４態様又は第５態様における基地局、及び、第６態様、第７態様又は第８態様における基地局を備える信号処理システムが提供される。
【００４３】
第１０態様によれば、信号送信方法が提供される。上記方法は、少なくとも１つの信号リソースセットを、基地局により、ユーザ機器ＵＥへ通知する段階であって、各信号リソースセットは少なくとも１つの信号リソースに対応し、同じ信号リソースセットにおける異なる信号リソースは同じ設定情報を有する、通知する段階と、上記少なくとも１つの信号リソースセットにおける信号リソースの設定情報に基づいて、信号を上記基地局により上記ＵＥへ送信する段階と、を備えてよい。
【００４４】
各信号リソースは、１つの成形ビームに対応してよい。
【００４５】
上記信号リソースの上記設定情報が、上記信号リソースの順序設定、上記信号リソースのスクランブル設定及び上記信号リソースが有するランダムアクセスチャネルの設定情報のうちの少なくとも１つ又は複数を有してよい。
【００４６】
このように、同じ設定情報に対応する異なる信号リソースが同じ信号リソースセットに置かれ、これにより、上記基地局は、上記同じ設定情報に基づいて、上記信号リソースに対応する信号を上記ＵＥへ送信してよい。異なる成形ビーム間で上記ＵＥがハンドオーバされる場合に、異なる成形ビームに対応する信号リソースは同じ信号リソースセットにあり、上記信号リソースの設定情報は変わらないままである。この場合、上記ＵＥはＲＲＣ再構成要求を上記基地局へ送信する必要がなく、上記基地局もまた、ＵＥの信号にＲＲＣ再構成を実行する必要がない。
【００４７】
第１０態様を参照すると、第１０態様の実装態様において、基地局は、上位層シグナリング、制御シグナリング又は上記信号とは異なる別の信号を用いることで、上記少なくとも１つの信号リソースセットを上記ＵＥへ通知してよく、ここで、上記信号リソースセットにおける上記信号リソースの上記設定情報は、上記上位層シグナリング又は上記制御シグナリングを用いることで上記基地局により上記ユーザ機器へ通知される。
【００４８】
実際の適用において、上記ＵＥのランダムアクセスチャネルの伝送は、最適な信号リソースと結び付けられるので、ＵＥが複数の信号リソースから最適な信号リソースを検出及び選択する場合に、ＵＥは、上記最適な信号リソースに基づいて、上記ランダムアクセスチャネルを伝送する。ランダムアクセスチャネルの伝送が最適な信号リソースと結び付けられるとは、ランダムアクセスチャネルの伝送リソース情報が、上記最適な信号により設定されること、又は、上記最適な信号リソースと上記ランダムアクセスチャネルに関連するアクセス応答情報とが同じ成形ビームに対応すること、又は、上記ランダムアクセスチャネルに対応する受信した成形ビームが上記最適な信号リソースに対応する成形ビームと同じであること、を意味する。.この場合、ＵＥが成形ビーム間を頻繁にハンドオーバされると、頻繁なアクセス情報の再構成とランダムアクセス手順とが生じる。従って、この課題を回避すべく、第１０態様を参照して、又は第１０態様の実装態様を参照して、第１０態様の別の実装態様において、上記方法は、上記ＵＥにより第ｉ回目に送信されるランダムアクセスチャネルに対応する信号リソースセットが上記ＵＥにより第（ｉ−１）回目に送信されるランダムアクセスチャネルに対応する信号リソースセットとは異なる場合に、上記ＵＥにより第ｉ回目に送信される上記ランダムアクセスチャネルを上記基地局により受信する段階、又は、上記ＵＥにより第ｉ回目に送信されるランダムアクセスチャネルに対応する信号リソースセットが上記ＵＥにより第（ｉ−１）回目に送信されるランダムアクセスチャネルに対応する信号リソースセットと同じである場合に、上記ＵＥにより第ｉ回目に送信される上記ランダムアクセスチャネルを上記基地局により受信する段階をスキップする段階、を更に備えてよく、ここで、ｉは、２に等しいか又はそれより大きい整数である。
【００４９】
このように、ランダムアクセスチャネルを送信する場合に、ＵＥは、対応する信号リソースセットが異なる場合にのみ、新たなランダムアクセスチャネル手順を開始してよく、これにより、成形ビーム間でＵＥが頻繁にハンドオーバすることにより引き起こされる頻繁なアクセス情報の再構成とランダムアクセス手順とを回避し、設定シグナリング及びＵＥの電力消費を低減する。
【００５０】
加えて、実際の適用では、ＵＥのアップリンクサウンディング参照信号（英語：Sounding Reference Signal, SRS）の伝送が、また、最適な信号リソースに結び付けられる。ＵＥは、複数の信号リソースの検出に基づき最適な信号リソースを選択してよく、最適な信号リソースに基づいて上記ＳＲＳを伝送してよいアップリンクサウンディング参照信号の伝送が最適な信号リソースに結び付けられるとは、基地局が、最適な信号リソースに対応する成形ビームを用いてアップリンクサウンディング参照信号を受信することを意味する。従って、ＵＥのアップリンクサウンディング参照信号の伝送が常に、比較的最適な受信した成形ビームに基づくことを保証すべく、第１０態様を参照して、又は、第１０態様の実装態様を参照して、第１０態様の更に別の実装態様において、上記方法は、上記ＵＥにより第ｉ回目に送信されるアップリンクサウンディング参照信号に対応する信号リソースセットが上記ＵＥにより第（ｉ−１）回目に送信されるアップリンクサウンディング参照信号に対応する信号リソースセットと同じである場合に、上記ＵＥにより第ｉ回目に送信される上記アップリンクサウンディング参照信号を上記基地局により受信する段階であって、ここで、ｉは２に等しいか又はそれより大きい整数である、受信する段階、又は、上記ＵＥにより第ｉ回目に送信されるアップリンクサウンディング参照信号に対応する信号リソースセットが上記ＵＥにより第（ｉ−１）回目に送信されるアップリンクサウンディング参照信号に対応する信号リソースセットとは異なる場合に、上記ＵＥにより第ｉ回目に送信される上記アップリンクサウンディング参照信号を上記基地局により受信する段階をスキップする段階、を更に備えてよい。
【００５１】
このように、ＵＥは、アップリンクサウンディング参照信号の伝送に対応する受信した成形ビームが、同じ信号リソースセットに配置される場合にのみ、上記アップリンクサウンディング参照信号を送信し、これにより、ＵＥのアップリンクサウンディング参照信号の伝送が常に、比較的最適な受信した成形ビームに基づくことを保証し、これにより、アップリンクサウンディング参照信号の伝送性能が保証される。
【００５２】
第１０態様を参照して、又は、第１０態様の実装態様を参照して、第１０態様の更に別の実装態様において、上記方法は、上記ＵＥにより第ｉ回目に送信される信号リソースインデックスに対応する信号リソースセットが上記ＵＥにより第（ｉ−１）回目に送信される信号リソースインデックスに対応する信号リソースセットとは異なる場合に、上記ＵＥにより第ｉ回目に送信される上記信号リソースインデックスを上記基地局により受信する段階であって、ここで、ｉは２に等しいか又はそれより大きい整数である、受信する段階、又は、上記ＵＥにより第ｉ回目に送信される信号リソースインデックスに対応する信号リソースセットが上記ＵＥにより第（ｉ−１）回目に送信される信号リソースインデックスに対応する信号リソースセットと同じである場合に、上記ＵＥにより第ｉ回目に送信される上記信号リソースインデックスを上記基地局により受信する段階をスキップする段階、を更に備えてよい。
【００５３】
このように、本解決手段を用いることで、信号リソースインデックスを送信する場合に、ＵＥは、対応する信号リソースセットが異なる場合にのみ、上記信号リソースインデックスを送信してよく、これにより、ＵＥが、ひとたび最適な信号リソースを検出すると最適な信号リソースに対応する信号リソースインデックスを基地局へ報告してしまうことを回避し、ＵＥの電力消費を大いに低減する。
【００５４】
第１０態様を参照して、又は、第１０態様の実装態様を参照して、第１０態様の更に別の実装態様において、上記信号は、ブロードキャストチャネル、同期信号、セル固有の参照信号、システム情報及びアップリンクサウンディング参照信号、の少なくとも１つを有する。
【００５５】
第１１態様によれば、信号受信方法が提供される。上記方法は、基地局により通知される少なくとも１つの信号リソースセットをユーザ機器ＵＥにより取得する段階であって、各信号リソースセットは少なくとも１つの信号リソースに対応し、同じ信号リソースセットにおける異なる信号リソースは同じ設定情報を有する、取得する段階と、上記少なくとも１つの信号リソースセットにおける信号リソースの設定情報に基づいて上記基地局により送信された信号を、上記ＵＥにより受信する段階と、を更に備えてよい。
【００５６】
各信号リソースは１つの成形ビームに対応してよい。
【００５７】
上記信号リソースの上記設定情報が、上記信号リソースの順序設定、上記公衆信号リソースのスクランブル設定及び上記公衆信号リソースが有するランダムアクセスチャネルの設定情報、の少なくとも１つ又は複数を有してよい。
【００５８】
このように、同じ設定情報に対応する異なる信号リソースが、同じ信号リソースセットに設置される。ＵＥが、異なる成形ビーム間でハンドオーバされ、異なる成形ビームに対応する信号リソースが同じ信号リソースセットにある場合に、信号リソースの設定情報は変わらないままである。この場合、上記ＵＥはＲＲＣ再構成要求を上記基地局へ送信する必要がなく、上記基地局もまた、ＵＥの信号にＲＲＣ再構成を実行する必要がない。
【００５９】
第１１態様を参照すると、第１１態様の実装態様において、ＵＥは、上位層シグナリング、制御情報又は上記信号とは異なる別の信号を用いることで上記基地局により送信される設定情報を取得してよい。上記少なくとも１つの信号リソースセットにおける上記信号リソースの上記設定情報は、上記上位層シグナリング又は上記制御シグナリングを用いることで上記基地局により上記ＵＥへ通知される。
【００６０】
第１１態様を参照して、又は、第１１態様の実装態様を参照して、第１１態様の更に別の実装態様において上記方法は、上記ＵＥが、第ｉ回目に上記ＵＥにより送信されるランダムアクセスチャネルに対応する信号リソースセットが、上記ＵＥにより第（ｉ−１）回目に送信されるランダムアクセスチャネルに対応する信号リソースセットとは異なる場合に、上記第ｉ回目に上記ランダムアクセスチャネルを上記基地局へ上記ＵＥにより送信する段階であって、ｉは２に等しいか又はそれより大きい整数である、送信する段階、又は、上記ＵＥが、上記ＵＥにより第ｉ回目に送信されるランダムアクセスチャネルに対応する信号リソースセットが上記ＵＥにより第（ｉ−１）回目に送信されるランダムアクセスチャネルに対応する信号リソースセットと同じであると決定する場合に、上記第ｉ回目に上記ランダムアクセスチャネルを上記ＵＥにより上記基地局へ送信する段階をスキップする段階、を更に備えてよい。
【００６１】
このように、ランダムアクセスチャネルを送信する場合に、ＵＥは、対応する信号リソースセットが異なる場合にのみ、新たなランダムアクセスチャネル手順を開始してよく、これにより、成形ビーム間でＵＥが頻繁にハンドオーバすることにより引き起こされる頻繁なアクセス情報の再構成とランダムアクセス手順とを回避し、設定シグナリング及びＵＥの電力消費を低減する。
【００６２】
第１１態様を参照して、又は、第１１態様の実装態様を参照して、第１１態様の更に別の実装態様において、上記方法は、
上記ＵＥが、上記ＵＥにより第ｉ回目に送信されるアップリンクサウンディング参照信号に対応する信号リソースセットが、上記ＵＥにより第（ｉ−１）回目に送信されるアップリンクサウンディング参照信号に対応する信号リソースセットと同じであると決定する場合に、上記第ｉ回目に前記アップリンクサウンディング参照信号を上記基地局へ前記ＵＥにより送信する段階であって、ｉは２に等しいか又はそれより大きい整数である、送信する段階、又は、
上記ＵＥが、上記ＵＥにより第ｉ回目に送信されるアップリンクサウンディング参照信号に対応する信号リソースセットが、上記ＵＥにより第（ｉ−１）回目に送信されるアップリンクサウンディング参照信号に対応する信号リソースセットとは異なると決定する場合に、上記第ｉ回目に前記アップリンクサウンディング参照信号を上記基地局へ前記ＵＥにより送信する段階をスキップする段階、を更に備えてよい。
【００６３】
このように、ＵＥは、アップリンクサウンディング参照信号の伝送に対応する受信した成形ビームが、同じ信号リソースセットに配置される場合にのみ、上記アップリンクサウンディング参照信号を送信し、これにより、ＵＥのアップリンクサウンディング参照信号の伝送が常に、比較的最適な受信した成形ビームに基づくことを保証し、これにより、アップリンクサウンディング参照信号の伝送性能が保証される。
【００６４】
第１１態様を参照して、又は、第１１態様の実装態様を参照して、第１１態様の更に別の実装態様において、上記方法は、
上記ＵＥが、上記ＵＥにより第ｉ回目に送信される公衆信号リソースインデックスに対応する信号リソースセットが、上記ＵＥにより第（ｉ−１）回目に送信される公衆信号リソースインデックスに対応する信号リソースセットとは異なると決定する場合に、上記第ｉ回目に前記信号リソースインデックスを上記基地局へ上記ＵＥにより送信する段階であって、ｉは２に等しいか又はそれより大きい整数である、送信する段階、又は、
上記ＵＥが、上記ＵＥにより第ｉ回目に送信される公衆信号リソースインデックスに対応する信号リソースセットが、上記ＵＥにより第（ｉ−１）回目に送信される公衆信号リソースインデックスに対応する信号リソースセットと同じであると決定する場合に、上記第ｉ回目に前記信号リソースインデックスを上記基地局へ上記ＵＥにより送信する段階をスキップする段階、を更に備えてよい。
【００６５】
このように、本解決手段を用いることで、公衆信号リソースインデックスを送信する場合に、ＵＥは、対応する信号リソースセットが異なる場合にのみ、上記公衆信号リソースインデックスを送信してよく、これにより、ＵＥが、ひとたび最適な信号リソースを検出すると最適な信号リソースに対応する信号リソースインデックスを基地局へ報告してしまうことを回避し、ＵＥの電力消費を大いに低減する。
【００６６】
第１１態様を参照して、又は、第１１態様の実装態様を参照して、第１１態様の更に別の実装態様において、上記信号は、ブロードキャストチャネル、同期信号、セル固有の参照信号、システム情報及びアップリンクサウンディング参照信号、の少なくとも１つを有する。
【００６７】
第１２態様によれば、基地局が提供される。基地局は、少なくとも１つの信号リソースセットをユーザ機器ＵＥへ通知するように構成される送信ユニットを備えてよく、各信号リソースセットは少なくとも１つの信号リソースに対応し、同じ信号リソースセットにおける異なる信号リソースは同じ設定情報を有し、上記送信ユニットが、上記少なくとも１つの信号リソースセットにおける信号リソースの設定情報に基づいて信号を上記ＵＥへ送信するように更に構成される。
【００６８】
第１２態様の具体的な実装のために、第１０態様又は第１０態様の可能な実装による信号送信方法における基地局の行為機能を参照する。
【００６９】
第１３態様によれば、基地局が提供される。上記基地局は、少なくとも１つの信号リソースセットをユーザ機器ＵＥへ通知するように構成され、ここで各信号リソースセットは少なくとも１つの信号リソースに対応し、同じ信号リソースセットにおける異なる信号リソースは同じ設定情報を有し、上記少なくとも１つの信号リソースセットにおける信号リソースの設定情報に基づいて信号を上記ＵＥへ送信するように構成される、送受信機、を備えてよい。
【００７０】
第１３態様の具体的な実装のために、第１０態様又は第１０態様の可能な実装による信号送信方法における基地局の行為機能を参照する。
【００７１】
第１４態様によれば、１つ又は複数のプログラムを格納する不揮発性コンピュータ可読記憶媒体が提供される。１つ又は複数のプログラムは複数の命令を備える。第１２態様又は第１３態様又は上記の可能な実装のうちのいずれか１つにおける基地局により上記命令が実行された場合に、上記基地局は、以下のイベント、即ち、少なくとも１つの信号リソースセットをユーザ機器ＵＥへ通知する段階であって、ここで、各信号リソースセットは少なくとも１つの信号リソースに対応し、同じ信号リソースセットにおける異なる信号リソースは同じ設定情報を有する、通知する段階、及び、上記少なくとも１つの信号リソースセットにおける信号リソースの設定情報に基づいて信号を上記ＵＥへ送信する段階、の実行が可能とされる。
【００７２】
第１２態様、第１３態様及び第１４態様の具体的な実装のために、第１０態様又は第１０態様の可能な実装による信号送信方法における基地局の行為機能を参照する。詳細はここでは再び説明されない。加えて、第１２態様、第１３態様及び第１４態様で提供される基地局は、第１０態様と同じ有益な効果を実現することができる。
【００７３】
第１５態様によれば、ＵＥが提供される。上記ＵＥは、基地局により通知される少なくとも１つの信号リソースセットを取得するように構成される受信ユニットを備えてよく、各信号リソースセットは少なくとも１つの信号リソースに対応し、同じ信号リソースセットにおける異なる信号リソースは同じ設定情報を有し、上記受信ユニットが、上記少なくとも１つの信号リソースセットにおける信号リソースの設定情報に基づいて上記基地局により送信される信号を受信するように更に構成される。
【００７４】
第１５態様の具体的な実装のために、第１１態様又は第１１態様の可能な実装による信号受信方法におけるＵＥの行為機能を参照する。
【００７５】
第１６態様によれば、ＵＥが提供される。上記ＵＥは、基地局により通知される少なくとも１つの信号リソースセットを取得するように構成され、ここで各信号リソースセットは少なくとも１つの信号リソースに対応し、同じ信号リソースセットにおける異なる信号リソースは同じ設定情報を有し、上記少なくとも１つの信号リソースセットにおける信号リソースの設定情報に基づいて上記基地局により送信される信号を受信するように構成される、送受信機、を備えてよい。
【００７６】
第１６態様の具体的な実装のために、第１１態様又は第１１態様の可能な実装による信号受信方法におけるＵＥの行為機能を参照する。
【００７７】
第１７態様によれば、１つ又は複数のプログラムを格納する不揮発性コンピュータ可読記憶媒体が提供される。１つ又は複数のプログラムは複数の命令を備える。第１５態様又は第１６態様又は上記の可能な実装のうちのいずれか１つにおけるＵＥにより上記命令が実行された場合に、上記ＵＥは、以下のイベント、即ち、基地局により通知される少なくとも１つの信号リソースセットを取得する段階であって、各信号リソースセットは少なくとも１つの信号リソースに対応し、同じ信号リソースセットにおける異なる信号リソースは同じ設定情報を有する、取得する段階、及び、上記少なくとも１つの信号リソースセットにおける信号リソースの設定情報に基づいて上記基地局により送信される信号を受信する段階、の実行が可能とされる。
【００７８】
第１５態様、第１６態様及び第１７態様の具体的な実装のために、第１１態様又は第１１態様の可能な実装による信号受信方法におけるＵＥの行為機能を参照する。詳細はここでは再び説明されない。加えて、第１５態様、第１６態様及び第１７態様で提供されるＵＥは、第１１態様と同じ有益な効果を実現することができる。
【００７９】
第１８態様によれば、第１２態様、第１３態様又は第１４態様における基地局、及び、第１５態様、第１６態様又は第１７態様における基地局を備える信号処理システムが提供される。
【図面の簡単な説明】
【００８０】
【図１】無線通信システムの構造図である。
【００８１】
【図２】本発明の一実施形態に係る通信システムの構造図である。
【００８２】
【図３】本発明の一実施形態に係る信号送信方法のフローチャートである。
【００８３】
【図３ａ】本発明の一実施形態に係るＵＥによるランダムアクセスチャネルの送信段階のフローチャートである。
【００８４】
【図３ｂ】本発明の一実施形態に係るＵＥによるアップリンクサウンディング参照信号の送信段階のフローチャートである。
【００８５】
【図３ｃ】本発明の一実施形態に係るＵＥによる公衆信号リソースインデックスの送信段階フローチャートである。
【００８６】
【図４】本発明の一実施形態に係る基地局３０の構造図である。
【００８７】
【図５】本発明の一実施形態に係るユーザ機器４０の構造図である。
【００８８】
【図６】本発明の一実施形態に係る通信システムの構造図である。
【００８９】
【図７】本発明の一実施形態に係る信号送信方法のフローチャートである。
【００９０】
【図７ａ】本発明の一実施形態に係るＵＥによるランダムアクセスチャネルの送信段階のフローチャートである。
【００９１】
【図７ｂ】本発明の一実施形態に係るＵＥによるアップリンクサウンディング参照信号の送信段階のフローチャートである。
【００９２】
【図７ｃ】本発明の一実施形態に係るＵＥによる公衆信号リソースインデックスの送信段階のフローチャートである。
【００９３】
【図８】本発明の一実施形態に係る基地局８０の構造図である。
【００９４】
【図９】本発明の一実施形態に係るユーザ機器９０の構造図である。
【００９５】
【図１０】本発明の一実施形態に係る通信システムの構造図である。
【発明を実施するための形態】
【００９６】
本発明の主要な原理は、以下の通りである。即ち、基地局が、複数の公衆信号リソース（ここで各公衆信号リソースは１つの成形ビームに対応してよい）をユーザ機器（英語：User Equipment, UE）に対して設定する。各公衆信号リソースは同じ設定情報を有し、基地局は、公衆信号リソースの設定情報に基づいてＵＥへ公衆信号を送信する。複数の公衆信号リソースが同じ設定情報を有する場合に、ＵＥは、公衆信号リソースに対応する成形ビームの間でハンドオーバされる。基地局は、上記ビームハンドオーバする以前と同じく、設定パラメータを用いて現在の成形ビームの公衆信号を送信してよく、公衆信号リソースにＲＲＣ再構成を実行する必要がない。
【００９７】
以下では、本発明の実施形態の添付図面を参照して、本発明の実施形態の技術的解決手段を明確かつ完全に説明する。説明される実施形態は、本発明の実施形態の全てではなく、その一部に過ぎないことは明らかである。本発明の実施形態に基づき当業者が創造的努力なしで得る全ての他の実施形態が、本発明の保護範囲に含まれるものとする。
【００９８】
「及び／又は」という用語は本明細書では、関連対象物の説明について、対応関係のみを説明し、３つの関係が存在し得ることを表すことに留意すべきである。例えば、Ａ及び／又はＢは、Ａのみが存在すること、Ａ及びＢの両方が存在すること、ならびに、Ｂのみが存在すること、の３つの場合を表し得る。加えて、本明細書における「／」という記号は概して、関連する対象物の間の「又は」の関係を示す。
【００９９】
本発明の信号処理方法は、図１に示される無線通信システムに配備されてよい。無線通信システムは、ロングタームエボリューション（英語：Long Term Evolution,LTE）ネットワーク、ワイドバンド符号分割多元接続（英語：Wideband Code Division Multiple Access, WCDMA（登録商標））ネットワーク、符号分割多元接続（英語：Code Division Multiple Access, CDMA）システム、時分割多元接続（英語： Time Division Multiple Access, TDMA）システム、周波数分割多元接続（英語：Frequency Division Multiple Addressing, FDMA）システム、直交周波数分割多元接続（英語：Orthogonal Frequency Division Multiple Access, OFDMA）システム、シングルキャリアＦＤＭＡ（英語：Single Carrier-FDMA, SC-FDMA）システム、及び汎用パケット無線システム（英語：General Packet Radio Service, GPRS）システム、のいかなるシステムであってもよい。具体的には、上記方法は、通信システムに適用可能である。このことは、本発明の実施形態において限定されるものではない。本発明の実施形態において、本発明において提供される、信号処理方法、デバイス及びシステムが、一例として、図１に示されるＬＴＥシステムのみを用いて説明される。
【０１００】
図１は、本発明の一実施形態に係る無線通信システムの模式的アーキテクチャ図である。図１に示されるように、本システムアーキテクチャは、基地局１０及びユーザ機器２０を有してよい。基地局１０及びユーザ機器２０は、基地局１０及びユーザ機器２０の間でのアップリンク伝送及びダウンリンク伝送を実現すべく、無線リソース制御（英語：Radio Resource Control, RRC）接続を確立してよい。基地局１０は、アクセスネットワークにおけるエア・インタフェースにおいて１つ又は複数の区域を用いてユーザ機器２０と通信を行うデバイスであってよく、例えば、ＬＴＥの進化型ＮｏｄｅＢ（ＮｏｄｅＢ、ｅＮＢ又はｅ−ＮｏｄｅＢ）であってよい。このことは、本発明において限定されるものではない。ユーザ機器２０は、無線端末であってよく、無線アクセスネットワーク（英語：Radio Access Network, RAN）を用いて１つ又は複数の基地局と通信を行うように構成される。例えば、ユーザ機器２０は、パーソナル通信サービス（英語：Personal Communication Service, PCS）電話、コードレス電話、セッション初期化プロトコル（英語：Session Initiation Protocol, SIP）電話、無線ローカルループ（英語：Wireless Local Loop, WLL）電話、パーソナルデジタルアシスタント（英語：Personal Digital Assistant, PDA）電話、タブレットコンピュータ、ノートブックコンピュータ、ウルトラモバイルパーソナルコンピュータ（英語：Ultra-mobile Personal Computer, UMPC）、ネットブック又はパーソナルデジタルアシスタント（英語：Personal Digital Assistant, PDA）等のいかなる端末デバイスであってよい。
【０１０１】
具体的には、本発明で提供される信号処理方法を実現すべく、図２に示されるように、基地局１０は、送受信機１０１１、プロセッサ１０１２、メモリ１０１３及び少なくとも１つの通信バス１０１４を有してよい。通信バス１０１４は、基地局１０における異なるコンポーネントの間での接続及び相互通信を実現するように構成される。ユーザ機器２０は、送受信機２０１１、プロセッサ２０１２、メモリ２０１３及び少なくとも１つの通信バス２０１４を有してよい。通信バス２０１４は、ユーザ機器２０における異なるコンポーネントの間での接続及び相互通信を実現するように構成される。
【０１０２】
送受信機１０１１は、基地局１０の送受信部であり、外部ネットワーク要素とデータ交換を実行するように構成される。例えば、基地局１０の送受信機１０１１は、ユーザ機器２０へデータ又は設定情報を送信してよく、又は、ユーザ機器２０により送信されるデータ又は設定情報を受信してよい。
【０１０３】
送受信機２０１１は、ユーザ機器２０の送受信部であり、外部ネットワーク要素とデータ交換を実行するように構成される。例えば、ユーザ機器２０の送受信機２０１１は、基地局１０により送信されるデータ又は設定情報を受信してよく、又は、基地局１０へデータ又は設定情報を送信してよい。
【０１０４】
プロセッサ１０１２及びプロセッサ２０１２は、中央処理装置（英語：Central Processing Unit, CPU）であってよく、又は、特定用途向け集積回路（英語：Application Specific Integrated Circuit, ASIC）であってよく、又は、１つ又は複数のマイクロプロセッサ（英語：Digital Signal Processor, DSP）や１つ又は複数のフィールドプログラマブルゲートアレイ（英語：Field Programmable Gate Array, FPGA）等の、本発明の本実施形態を実現するように構成される１つ又は複数の集積回路であってよい。
【０１０５】
メモリ１０１３及びメモリ２０１３は、ランダムアクセスメモリ（英語：Random-Access Memory, RAM）等の揮発性メモリ（英語：volatile memory）、又は、リードオンリメモリ（英語：Read-Only Memory, ROM）、フラッシュメモリ（英語：flash memory）、ハードディスク（英語：Hard Disk Drive, HDD）、又はソリッドステートドライブ（英語：Solid-State Drive, SSD）等の不揮発性メモリ（英語：non-volatile memory）、又は、前述のメモリタイプの組み合わせ、であってよい。プロセッサ１０１２は、メモリ１０１３に格納されるプログラムコードを走らせるか又は実行することで、そして、メモリ１０１３に格納されるデータを呼び出すことで、基地局１０の様々な機能を実現してよい。プロセッサ２０１２は、メモリ２０１３に格納されるプログラムコードを走らせるか又は実行することで、そして、メモリ２０１３に格納されるデータを呼び出すことで、ユーザ機器２０の様々な機能を実現してよい。
【０１０６】
通信バス１０１４及び通信バス２０１４は、アドレスバス、データバス、制御バス等に分類されてよく、そして、業界標準アーキテクチャ（英語：Industry Standard Architecture, ISA）バス、ペリフェラル・コンポーネント相互接続（英語：Peripheral Component, PCI）バス、拡張型業界標準アーキテクチャ（英語：Extended Industry Standard Architecture, EISA）バス等であってよい。表現を容易にするために、図２の表現では単に太線が用いられるが、これは、１本のバス又は１つのタイプのバスのみがあることを意味しない。
【０１０７】
説明を容易にするために、以下の実施形態では、本発明で提供される信号処理方法を、段階形式で詳細に示し、説明する。示される複数の段階は、図１に示される無線通信システムとは異なる任意の通信システムにおいても、実行されてよい。加えて、本発明で提供される信号送信方法の論理順序が方法のフローチャートに示されるが、一部のケースでは、示され又は説明された複数の段階は、ここで示された順序とは異なる順序で実行されてよい。
【０１０８】
図３は、本発明の一実施形態に係る信号処理方法のフローチャートである。図１及び図２に示される基地局及びユーザ機器は、本方法を実行すべく相互に交流してよい。基地局側において、信号処理方法は、信号送信方法と称されてよい。ユーザ機器側において、信号処理方法は、信号受信方法と称されてよい。図３に示されるように、本方法は以下の段階を有してよい。
【０１０９】
Ｓ１０１：基地局がＵＥに少なくとも１つの公衆情報過程を通知し、ＵＥは基地局により通知される少なくとも１つの公衆情報過程を取得する。ここで、少なくとも１つの公衆情報過程が少なくとも１つの公衆信号リソースに対応し、同じ公衆情報過程における異なる公衆信号リソースは同じ設定情報を有する。
【０１１０】
ＵＥは、図１に示される無線通信ネットワークの基地局によりサービス提供されるセルにおける任意のＵＥであってよい。
【０１１１】
公衆情報過程は、主に、公衆信号の送信手順において必要とされる伝送リソース及びその他の設定表示等の情報を示すのに用いられる。本明細書において、公衆情報過程とは、一連の複数の公衆信号リソースであってよく、又は、一連の複数の成形ビームであってよい。もちろん、他の定義様態は排除されない。このことは、本明細書において限定されるものではない。例えば、公衆情報過程は、公衆信号及び公衆信号の伝送に必要な時間ドメインリソース又は周波数ドメインリソースを含んでよい。
【０１１２】
各公衆信号リソースは１つの成形ビームに対応してよく、同じ公衆情報過程における複数の公衆信号リソースに対応する複数の成形ビームの複数のチャネル特性は同様であり、同じ公衆情報過程における複数の公衆信号リソースは、同じ設定情報に対応する。各公衆信号リソースは、公衆信号と、公衆信号に対応する伝送リソース（例えば、時間周波数リソース又はポートリソース）とを含んでよい。公衆信号は、ブロードキャストチャネル、同期信号、セル固有の参照信号及びシステム情報、の少なくとも１つを含んでよい。公衆信号は、これに限定されるものではないが、前述の複数の信号を有することに留意すべきである。あるいは、上記公衆信号は、通信技術の発展に伴い現われる新たな信号であってもよい。
【０１１３】
公衆信号リソースの設定情報は、基地局及びＵＥの間で公衆信号を伝送するのに用いられる設定フォーマットを示すのに用いられてよい。具体的には、公衆信号リソースの設定情報は、これに限定されるものではないが、公衆信号リソースの順序設定、公衆信号リソースのスクランブル設定、及び、公衆信号リソースが有するランダムアクセスチャネル（英語：Random Access Channel, RACH）の設定情報のうちの少なくとも１つ又は複数を有してよい。
【０１１４】
公衆信号リソースの順序設定は、同期信号の順序設定を含んでよい。公衆信号リソースのスクランブル設定は、公衆信号リソースのスクランブル初期化設定パラメータ、例えば、無線ネットワーク一時識別子（英語：Radio Network Tempory Identity, RNTI）、を含んでよい。又は、スクランブル初期化パラメータは、他のいかなるＲＮＴＩ識別子であってよく、例えば、Ｃ−ＲＮＴＩ、ＲＡＲ−ＲＮＴＩ又はＰ−ＲＮＴＩであってよい。ＲＡＣＨの設定情報は、ランダムアクセスチャネルの設定インデックス（PRACH-Config-Index）、ランダムアクセスチャネルの周波数ドメインオフセット（PRACH-Frequency-Offset）及びランダムアクセスチャネルのフォーマット設定、の少なくとも１つを含んでよい。
【０１１５】
オプションで、ＵＥが配置されるセルにＵＥがアクセスした後、基地局は、当該ＵＥに対して少なくとも１つの公衆情報過程を設定してよく、そして、少なくとも１つの設定された公衆情報過程を、上位層シグナリング、制御シグナリング又は前述の公衆信号とは異なる別の公衆信号を用いてＵＥへ送信する。公衆情報過程における公衆信号リソースの設定情報は、上位層シグナリング又は制御シグナリングを用いてＵＥへ通知されてよい。上位層シグナリング及び制御シグナリングの通知手順は、連続して実行されてよく、又は、同時に実行されてもよいことに留意すべきである。このことは、本発明の本実施形態において限定されるものではない。上位層シグナリングは、ＲＲＣシグナリングであってよい。
【０１１６】
例えば、基地局は４つの公衆情報過程をＵＥへ割り当ててよく、各公衆情報過程は４つの成形ビームに対応してよい。４つの成形ビームに対応するチャネル特性（例えば、遅延スプレッド及び経路損失）は異なるが、類似していてもよい。従って、同じ設定情報を含み、４つの成形ビームにそれぞれ対応する４つの公衆信号リソースを、同じ公衆情報過程が有してよい。
【０１１７】
Ｓ１０２：基地局が、少なくとも１つの公衆情報過程における公衆信号リソースの設定情報に基づいてＵＥへ公衆信号を送信し、ＵＥは基地局により送信される公衆信号を受信する。
【０１１８】
オプションで、基地局は、いかなる公衆情報過程におけるいかなる公衆信号リソースの設定情報に基づいて公衆信号を設定してもよく、当該設定の完了後にＵＥへ公衆信号を送信する。
【０１１９】
このように、同じ設定情報に対応する異なる公衆信号リソースが同じ公衆情報過程に置かれ、これにより、同じ公衆情報過程における公衆信号リソースに対して、基地局は、同じ設定情報に基づいて、公衆信号リソースに対応する公衆信号をＵＥへ送信してよい。異なる成形ビーム間でＵＥがハンドオーバされる場合に、異なる成形ビームに対応する公衆信号リソースは同じ公衆情報過程にあり、公衆信号リソースの設定情報は変わらないままである。この場合、ＵＥはＲＲＣ再構成要求を基地局へ送信する必要がなく、基地局もまた、ＵＥの公衆信号にＲＲＣ再構成を実行する必要がない。
【０１２０】
例えば、基地局によりＵＥへ割り当てられる公衆情報過程は、４つの公衆信号リソースを有する。これらの４つの公衆信号リソースは、４つの成形ビームに対応する。ＵＥが移動し、公衆信号リソースに対応する成形ビームが、成形ビーム１から成形ビーム２へスイッチする場合、成形ビーム２及び成形ビーム１に対応する公衆信号リソースは同じ設定情報を用いているので、基地局は、成形ビーム１と同じ設定情報を用いることで、成形ビーム２に対応する公衆信号を送信してよい。言い換えると、成形ビーム１に元々対応している公衆信号リソースの設定情報が、成形ビーム２に対応する公衆信号リソースで直接再利用されてよく、基地局は、成形ビーム２に対応する公衆信号に、ＲＲＣ再構成を再び実行する必要がない。
【０１２１】
実際の適用において、ＵＥのランダムアクセスチャネルの伝送は、最適な公衆信号リソースと結び付けられるので、ＵＥが複数の公衆信号リソースから最適な公衆信号リソースを検出及び選択する場合に、ＵＥは、最適な公衆信号リソースに基づいて、ランダムアクセスチャネルを伝送する。ランダムアクセスチャネルの伝送が最適な公衆信号リソースと結び付けられるとは、ランダムアクセスチャネルの伝送リソース情報が、上記最適な公衆信号により設定されること、及び、最適な公衆信号リソースとランダムアクセスチャネルに関連するアクセス応答情報とが同じ成形ビームに対応すること、を意味する。この場合、ＵＥが複数の成形ビームの間を頻繁にハンドオーバされると、頻繁なアクセス情報の再構成とランダムアクセス手順とが生じる。従って、この課題を回避すべく、更にオプションで、図３ａに示されるように、ＵＥが、基地局により通知される少なくとも１つの公衆情報過程を取得し、ＵＥが第ｉ回目にランダムアクセスチャネルを送信する必要があると決定し、ここでｉは２に等しいか又はそれより大きい正の整数である場合に、本方法は以下の段階を更に備えてよい。
【０１２２】
１０１１：ＵＥが、第ｉ回目にＵＥにより送信されるランダムアクセスチャネルに対応する公衆情報過程が、ＵＥにより第（ｉ−１）回目に送信されるランダムアクセスチャネルに対応する公衆情報過程と同じか否か決定し、第ｉ回目にＵＥにより送信されるランダムアクセスチャネルに対応する公衆情報過程が、ＵＥにより第（ｉ−１）回目に送信されるランダムアクセスチャネルに対応する公衆情報過程とは異なる場合に、段階１０１２を実行する。或いは、第ｉ回目にＵＥにより送信されるランダムアクセスチャネルに対応する公衆情報過程が、ＵＥにより第（ｉ−１）回目に送信されるランダムアクセスチャネルに対応する公衆情報過程と同じ場合に、段階１０１３を実行する。
【０１２３】
１０１２：ＵＥが、第ｉ回目のランダムアクセスチャネルを基地局へ送信する。
【０１２４】
１０１３：ＵＥが、第ｉ回目のランダムアクセスチャネルを送信する段階をスキップする。
【０１２５】
本発明の本実施形態において、各公衆信号リソースは１つの公衆情報過程に対応し、ＵＥのランダムアクセスチャネルの伝送は最適な公衆信号リソースに結び付けられることが、理解されてよい。従って、本発明の本実施形態において、ＵＥのランダムアクセスチャネルの伝送は、また、最適な公衆信号リソースが配置される公衆情報過程に対応する。言い換えると、ＵＥにより送信されるランダムアクセスチャネルに対応する公衆情報過程は、ＵＥにより送信されるランダムアクセスチャネルに結び付いた最適な公衆信号リソースが配置される公衆情報過程である。
【０１２６】
このように、前述の解決手段を用いることで、ランダムアクセスチャネルを送信する場合に、ＵＥは、対応する公衆情報過程が異なる場合にのみ、新たなランダムアクセスチャネル手順を開始してよく、これにより、成形ビーム間でＵＥが頻繁にハンドオーバすることにより引き起こされる頻繁なアクセス情報の再構成とランダムアクセス手順とを回避し、設定シグナリング及びＵＥの電力消費を低減する。
【０１２７】
加えて、実際の適用では、ＵＥのアップリンクサウンディング参照信号（英語：Sounding Reference Signal, SRS）の伝送が、また、最適な公衆信号リソースに結び付けられる。ＵＥは、複数の公衆信号リソースの検出に基づき最適な公衆信号リソースを選択してよく、最適な公衆信号リソースに基づいて上記ＳＲＳを伝送してよい。アップリンクサウンディング参照信号の伝送が最適な公衆信号リソースに結び付けられるとは、基地局が、最適な公衆信号リソースに対応する成形ビームを用いてアップリンクサウンディング参照信号を受信することを意味する。従って、ＵＥのアップリンクサウンディング参照信号の伝送が常に、比較的最適な受信した成形ビームに基づくことを保証すべく、更にオプションで、図３ｂに示されるように、ＵＥが、基地局により通知される少なくとも１つの公衆情報過程を取得し、ＵＥが第ｉ回目にアップリンクサウンディング参照信号を送信する必要があると決定し、ここでｉは２に等しいか又はそれより大きい正の整数である場合に、本方法は以下の段階を更に備えてよい。
【０１２８】
２０１１：ＵＥが、第ｉ回目にＵＥにより送信されるアップリンクサウンディング参照信号に対応する公衆情報過程が、ＵＥにより第（ｉ−１）回目に送信されるアップリンクサウンディング参照信号に対応する公衆情報過程と同じか否か決定し、第ｉ回目にＵＥにより送信されるアップリンクサウンディング参照信号に対応する公衆情報過程が、ＵＥにより第（ｉ−１）回目に送信されるランダムアクセスチャネルに対応する公衆情報過程と同じ場合に、段階２０１２を実行する。或いは、第ｉ回目にＵＥにより送信されるアップリンクサウンディング参照信号に対応する公衆情報過程が、ＵＥにより第（ｉ−１）回目に送信されるアップリンクサウンディング参照信号に対応する公衆情報過程とは異なる場合に、段階２０１３を実行する。
【０１２９】
２０１２：ＵＥが、第ｉ回目のアップリンクサウンディング参照信号を基地局へ送信する。
【０１３０】
２０１３：ＵＥが、アップリンクサウンディング参照信号を送信する段階をスキップする。
【０１３１】
このように、ＵＥは、アップリンクサウンディング参照信号の伝送に対応する受信した成形ビームが、同じ公衆情報過程に配置される場合にのみ、上記アップリンクサウンディング参照信号を送信し、これにより、ＵＥのアップリンクサウンディング参照信号の伝送が常に、比較的最適な受信した成形ビームに基づくことを保証し、これにより、アップリンクサウンディング参照信号の伝送性能が保証される。
【０１３２】
更にオプションで、図３ｃに示されるように、ＵＥが、基地局により通知される少なくとも１つの公衆情報過程を取得し、ＵＥが第ｉ回目に公衆信号リソースインデックスを送信する必要があると決定し、ここでｉは２に等しいか又はそれより大きい正の整数である場合に、本方法は以下の段階を更に備えてよい。
【０１３３】
３０１１：ＵＥが、第ｉ回目にＵＥにより送信される公衆信号リソースインデックスに対応する公衆情報過程が、ＵＥにより第（ｉ−１）回目に送信される公衆信号リソースインデックスに対応する公衆情報過程と同じか否か決定し、第ｉ回目にＵＥにより送信される公衆信号リソースインデックスに対応する公衆情報過程が、ＵＥにより第（ｉ−１）回目に送信される公衆信号リソースインデックスに対応する公衆情報過程と異なる場合に、段階３０１２を実行する。或いは、第ｉ回目にＵＥにより送信される公衆信号リソースインデックスに対応する公衆情報過程が、ＵＥにより第（ｉ−１）回目に送信される公衆信号リソースインデックスに対応する公衆情報過程と同じ場合には、段階３０１３を実行する。
【０１３４】
３０１２：ＵＥが、第ｉ回目の公衆信号リソースインデックスを基地局へ送信する。
【０１３５】
３０１３：ＵＥが、第ｉ回目の公衆信号リソースインデックスを送信する段階をスキップする。
【０１３６】
公衆信号リソースインデックスは、ＵＥによりモニタリングされる最適な公衆信号リソースに対応する公衆信号リソースインデックスであってよい。公衆信号リソースインデックスに対応する公衆情報過程は、公衆信号リソースインデックスに対応する最適な公衆信号リソースが配置される公衆情報過程であってよい。
【０１３７】
このように、本解決手段を用いることで、公衆信号リソースインデックスを送信する場合に、ＵＥは、対応する公衆情報過程が異なる場合にのみ、上記公衆信号リソースインデックスを送信してよく、これにより、ＵＥが、ひとたび最適な公衆信号リソースを検出すると最適な公衆信号リソースに対応する公衆信号リソースインデックスを基地局へ報告してしまうことを回避し、ＵＥの電力消費を大いに低減する。
【０１３８】
前述は主に、基地局及びＵＥの相互交流という視点から本発明の実施形態で提供される解決手段を説明した。前述の機能を実現すべく、基地局及びＵＥが、各機能を実行するための対応するハードウェア構成及び／又はソフトウェアモジュールを備えることが理解されてよい。当業者であれば、本明細書に開示される実施形態を参照して説明される複数の例におけるユニット及びアルゴリズムの段階が、ハードウェア、又は、ハードウェア及びコンピュータソフトウェアの組み合わせにより実現されてよいことが、容易に認識できよう。これらの機能がハードウェアによって実行されるか又はハードウェアを駆動するコンピュータソフトウェアによって実行されるかは、技術的解決手段の特定の用途及び設計制約条件によって決まる。当業者であれば、特定の用途毎に説明した機能を実現すべく、異なる複数の方法を用いることができるが、そうした実施例は、本発明の範囲を越えるとみなされるべきではない。
【０１３９】
本発明の本実施形態において、基地局及びＵＥの機能ユニットは、前述の方法例に基づいて分割されてよい。例えば、各機能ユニットは、各機能に従って分割されてよく、又は、２又はそれより多い機能が、１つの処理ユニットに統合されてもよい。統合されたユニットは、ハードウェア形式で実現されてよく、又は、ソフトウェア機能ユニット形式で実現されてもよい。本発明の実施形態においてユニットの区分は一例であり、単に論理機能区分に過ぎないことに留意すべきである。実際の実装では、別の分割態様が存在してよい。
【０１４０】
機能ユニットが機能に対応して分割される場合、図４は、前述の実施形態で用いられる基地局３０の実行可能な概略構造図である。基地局３０は、送信ユニット３０１及び受信ユニット３０２を有する。送信ユニット３０１は、図３の手順Ｓ１０１及びＳ１０２を実行する場合に、基地局をサポートするように構成される。受信ユニット３０２は、ＵＥにより送信される信号を受信する手順を実行する場合に基地局をサポートするように構成されてよい。
【０１４１】
統合されたユニットが用いられる場合、図４に示される基地局３０における送信ユニット３０１及び受信ユニット３０２は、図２に示される基地局１０の送受信機１０１１に統合されてよく、図３の手順Ｓ１０１及びＳ１０２、並びに、ＵＥにより送信される信号を受信する手順を実行する場合に、基地局をサポートする。
【０１４２】
機能ユニットが機能に対応して分割される場合、図５は、前述の実施形態で用いられるＵＥ４０の実行可能な概略構造図である。基地局４０は、受信ユニット４０１、決定ユニット４０２及び送信ユニット４０３を有する。受信ユニット４０１は、図３の手順Ｓ１０１及びＳ１０２を実行する場合に、ＵＥをサポートするように構成される。決定ユニット４０２は、決定手順を実行する場合に、ＵＥをサポートするように構成される。送信ユニット４０３は、基地局へ信号を送信する手順を実行する場合に、ＵＥをサポートするように構成されてよい。
【０１４３】
統合されたユニットが用いられる場合、図５に示されるＵＥ４０における受信ユニット４０１及び送信ユニット４０３は、図２に示されるＵＥ２０の送受信機２０１１に統合されてよく、図３の手順Ｓ１０１及びＳ１０２、並びに、基地局へ信号を送信する手順を実行する場合に、基地局をサポートする。決定ユニット４０２は、実装のため、図２に示されるＵＥ２０のプロセッサに統合されてよく、又は、プログラムコードの形式でＵＥ２０のメモリに格納され、決定ユニット４０２の機能を実行すべくＵＥ２０のプロセッサにより呼び出されてよい。
【０１４４】
前述された方法の実施形態における複数の段階の全ての関連内容が、対応する機能ユニットの機能説明に引用されてよい。ここでは、詳細を再び説明されない。
【０１４５】
更なる別の態様によれば、本発明の実施形態は、信号処理システムを更に提供する。図６に示されるように、信号送信システムは、基地局３０及び少なくとも１つのＵＥ４０を備えてよい。
【０１４６】
本発明の本実施形態において提供される信号送信システムは、図３に示される信号送信方法を実装する。従って、前述の信号送信方法と同じ有益な効果を得ることができる。ここでは、詳細を再び説明されない。
【０１４７】
図７は、本発明の一実施形態に係る信号処理方法のフローチャートである。図１及び図２に示される基地局及びユーザ機器は、本方法を実行すべく相互に交流してよい。基地局側において、信号処理方法は、信号送信方法と称されてよい。ユーザ機器側において、信号処理方法は、信号受信方法と称されてよい。図７に示されるように、本方法は以下の段階を有してよい。
【０１４８】
Ｓ７０１：基地局がＵＥに少なくとも１つの信号リソースセットを通知し、ＵＥは基地局により通知される少なくとも１つの信号リソースセットを取得する。ここで、少なくとも１つの信号リソースセットが少なくとも１つの信号リソースに対応し、同じ信号リソースセットにおける異なる信号リソースは同じ設定情報を有する。
【０１４９】
ＵＥは、図１に示される無線通信ネットワークの基地局によりサービス提供されるセルにおける任意のＵＥであってよい。
【０１５０】
信号リソースセットは、主に、信号送信手順において必要とされる伝送リソース及びその他の設定表示等の情報を示すのに用いられる。本明細書において、信号リソースセットとは、一連の複数の信号リソースであってよく、又は、一連の複数の成形ビーム、又は、一連の複数の公衆信号リソース、又は、公衆情報過程であってよい。もちろん、他の定義様態は排除されない。このことは、本明細書において限定されるものではない。例えば、信号リソースセットは、信号、公衆信号、信号伝送に必要な時間ドメインリソース又は周波数ドメインリソース、及び、公衆信号の伝送に必要な時間ドメインリソース又は周波数ドメインリソース、を含んでよい。
【０１５１】
各信号リソースは１つの成形ビームに対応してよく、同じ信号リソースセットにおける複数の信号リソースと対応する複数の成形ビームは同様のチャネル特性を有し、１つの同じ信号リソースセットにおける複数の信号リソースは、同じ設定情報に対応する。各信号リソースは、信号と、信号に対応する伝送リソース（例えば、時間周波数リソース又はポートリソース）とを含んでよい。信号は、ブロードキャストチャネル、同期信号、セル固有の参照信号、システム情報、及び、アップリンクサウンディング参照信号、の少なくとも１つを含んでよい。信号は、これに限定されるものではないが、前述の複数の信号を有することに留意すべきである。あるいは、上記信号は、通信技術の発展に伴い現われる新たな信号であってもよい。
【０１５２】
信号リソースの設定情報は、基地局及びＵＥの間で信号を伝送するのに用いられる設定フォーマットを示すのに用いられてよい。具体的には、信号リソースの設定情報は、これに限定されるものではないが、信号リソースの順序設定、信号リソースのスクランブル設定、及び、信号リソースが有するランダムアクセスチャネル（英語：Random Access Channel, RACH）の設定情報のうちの少なくとも１つ又は複数を有してよい。
【０１５３】
信号リソースの順序設定は、同期信号の順序設定を含んでよい。信号リソースのスクランブル設定は、無線ネットワーク一時識別子（英語：Radio Network Tempory Identity, RNTI）等の信号リソースのスクランブル初期化設定パラメータを含んでよく、又は、スクランブル初期化パラメータは、Ｃ−ＲＮＴＩ、ＲＡＲ−ＲＮＴＩ又はＰ−ＲＮＴＩ等の他の任意のＲＮＴＩ識別子であってもよい。ＲＡＣＨの設定情報は、ランダムアクセスチャネルの設定インデックス（PRACH-Config-Index）、ランダムアクセスチャネルの周波数ドメインオフセット（PRACH-Frequency-Offset）及びランダムアクセスチャネルのフォーマット設定、の少なくとも１つを含んでよい。
【０１５４】
オプションで、ＵＥが配置されるセルにＵＥがアクセスした後、基地局は、そのＵＥに対して少なくとも１つの信号リソースセットを設定してよく、そして、少なくとも１つの設定された信号リソースセットを、上位層シグナリング、制御シグナリング又は前述の信号とは異なる別の信号を用いてＵＥへ送信する。信号リソースセットにおける信号リソースの設定情報は、上位層シグナリング又は制御シグナリングを用いてＵＥへ通知されてよい。上位層シグナリング及び制御シグナリングの通知手順は、連続して実行されてよく、又は、同時に実行されてもよいことに留意すべきである。このことは、本発明の本実施形態において限定されるものではない。上位層シグナリングは、ＲＲＣシグナリングであってよい。
【０１５５】
例えば、基地局は４つの信号リソースセットをＵＥへ割り当ててよく、各信号リソースセットは４つの成形ビームに対応してよい。４つの成形ビームに対応するチャネル特性（例えば、遅延スプレッド及び経路損失）は異なるが、類似していてもよい。従って、同じ設定情報を含み、４つの成形ビームにそれぞれ対応する４つの信号リソースを、同じ信号リソースセットが有してよい。
【０１５６】
Ｓ７０２：基地局が、少なくとも１つの信号リソースセットにおける信号リソースの設定情報に基づいてＵＥへ信号を送信し、ＵＥは基地局により送信される信号を受信する。
【０１５７】
オプションで、基地局は、いかなる信号リソースセットにおけるいかなる信号リソースの設定情報に基づいて信号を設定してもよく、当該設定の完了後にＵＥへ信号を送信する。
【０１５８】
このように、同じ設定情報に対応する異なる信号リソースが同じ信号リソースセットに置かれ、これにより、同じ信号リソースセットにおける信号リソースに対して、基地局は、同じ設定情報に基づいて、信号リソースに対応する信号をＵＥへ送信してよい。異なる成形ビーム間でＵＥがハンドオーバされる場合に、異なる成形ビームに対応する信号リソースは同じ信号リソースセットにあり、信号リソースの設定情報は変わらないままである。この場合、ＵＥはＲＲＣ再構成要求を基地局へ送信する必要がなく、基地局もまた、ＵＥの信号にＲＲＣ再構成を実行する必要がない。
【０１５９】
例えば、基地局によりＵＥへ割り当てられる信号リソースセットは、４つの信号リソースを有する。これらの４つの信号リソースは、４つの成形ビームに対応する。ＵＥが移動し、信号リソースに対応する成形ビームが、成形ビーム１から成形ビーム２へスイッチする場合、成形ビーム２及び成形ビーム１に対応する信号リソースは同じ設定情報を用いているので、基地局は、成形ビーム１と同じ設定情報を用いることで、成形ビーム２に対応する信号を送信してよい。言い換えると、成形ビーム１に元々対応している信号リソースの設定情報が、成形ビーム２に対応する信号リソースで直接再利用されてよく、基地局は、成形ビーム２に対応する信号に、ＲＲＣ再構成を再び実行する必要がない。
【０１６０】
実際の適用において、ＵＥのランダムアクセスチャネルの伝送は、最適な信号リソースと結び付けられるので、ＵＥが複数の信号リソースから最適な信号リソースを検出及び選択する場合に、ＵＥは、最適な信号リソースに基づいて、ランダムアクセスチャネルを伝送する。ランダムアクセスチャネルの伝送が最適な信号リソースと結び付けられるとは、ランダムアクセスチャネルの伝送リソース情報が、上記最適な信号により設定されること、及び、最適な信号リソースとランダムアクセスチャネルに関連するアクセス応答情報とが同じ成形ビームに対応すること、を意味する。この場合、ＵＥが複数の成形ビームの間を頻繁にハンドオーバされると、頻繁なアクセス情報の再構成とランダムアクセス手順とが生じる。従って、この課題を回避すべく、更にオプションで、図７ａに示されるように、ＵＥが、基地局により通知される少なくとも１つの信号リソースセットを取得し、ＵＥが第ｉ回目にランダムアクセスチャネルを送信する必要があると決定し、ここでｉは２に等しいか又はそれより大きい正の整数である場合に、本方法は以下の段階を更に備えてよい。
【０１６１】
７０１１：ＵＥが、第ｉ回目にＵＥにより送信されるランダムアクセスチャネルに対応する信号リソースセットが、ＵＥにより第（ｉ−１）回目に送信されるランダムアクセスチャネルに対応する信号リソースセットと同じか否か決定し、第ｉ回目にＵＥにより送信されるランダムアクセスチャネルに対応する信号リソースセットが、ＵＥにより第（ｉ−１）回目に送信されるランダムアクセスチャネルに対応する信号リソースセットとは異なる場合に、段階７０１２を実行する。或いは、第ｉ回目にＵＥにより送信されるランダムアクセスチャネルに対応する信号リソースセットが、ＵＥにより第（ｉ−１）回目に送信されるランダムアクセスチャネルに対応する信号リソースセットと同じ場合に、段階７０１３を実行する。
【０１６２】
７０１２：ＵＥが、第ｉ回目のランダムアクセスチャネルを基地局へ送信する。
【０１６３】
７０１３：ＵＥが、第ｉ回目のランダムアクセスチャネルを送信する段階をスキップする。
【０１６４】
本発明の本実施形態において、各信号リソースは１つの信号リソースセットに対応し、ＵＥのランダムアクセスチャネルの伝送は最適な信号リソースに結び付けられることが、理解されてよい。従って、本発明の本実施形態において、ＵＥのランダムアクセスチャネルの伝送は、また、最適な信号リソースが配置される信号リソースセットに対応する。言い換えると、ＵＥにより送信されるランダムアクセスチャネルに対応する信号リソースセットは、ＵＥにより送信されるランダムアクセスチャネルに結び付いた最適な信号リソースが配置される信号リソースセットである。
【０１６５】
このように、前述の解決手段を用いることで、ランダムアクセスチャネルを送信する場合に、ＵＥは、対応する信号リソースセットが異なる場合にのみ、新たなランダムアクセスチャネル手順を開始してよく、これにより、成形ビーム間でＵＥが頻繁にハンドオーバすることにより引き起こされる頻繁なアクセス情報の再構成とランダムアクセス手順とを回避し、設定シグナリング及びＵＥの電力消費を低減する。
【０１６６】
加えて、実際の適用では、ＵＥのアップリンクサウンディング参照信号（英語：Sounding Reference Signal, SRS）の伝送が、また、最適な信号リソースに結び付けられる。ＵＥは、複数の信号リソースの検出に基づき最適な信号リソースを選択してよく、最適な信号リソースに基づいて上記ＳＲＳを伝送してよい。アップリンクサウンディング参照信号の伝送が最適な信号リソースに結び付けられるとは、基地局が、最適な信号リソースに対応する成形ビームを用いてアップリンクサウンディング参照信号を受信することを意味する。従って、ＵＥのアップリンクサウンディング参照信号の伝送が常に、比較的最適な受信した成形ビームに基づくことを保証すべく、更にオプションで、図７ｂに示されるように、ＵＥが、基地局により通知される少なくとも１つの信号リソースセットを取得し、ＵＥが第ｉ回目にアップリンクサウンディング参照信号を送信する必要があると決定し、ここでｉは２に等しいか又はそれより大きい正の整数である場合に、本方法は以下の段階を更に備えてよい。
【０１６７】
８０１１：ＵＥが、第ｉ回目にＵＥにより送信されるアップリンクサウンディング参照信号に対応する信号リソースセットが、ＵＥにより第（ｉ−１）回目に送信されるアップリンクサウンディング参照信号に対応する信号リソースセットと同じか否か決定し、第ｉ回目にＵＥにより送信されるアップリンクサウンディング参照信号に対応する信号リソースセットが、ＵＥにより第（ｉ−１）回目に送信されるランダムアクセスチャネルに対応する信号リソースセットと同じ場合に、段階８０１２を実行する。或いは、第ｉ回目にＵＥにより送信されるアップリンクサウンディング参照信号に対応する信号リソースセットが、ＵＥにより第（ｉ−１）回目に送信されるアップリンクサウンディング参照信号に対応する信号リソースセットとは異なる場合に、段階８０１３を実行する。
【０１６８】
８０１２：ＵＥが、第ｉ回目のアップリンクサウンディング参照信号を基地局へ送信する。
【０１６９】
８０１３：ＵＥが、アップリンクサウンディング参照信号を送信する段階をスキップする。
【０１７０】
このように、ＵＥは、アップリンクサウンディング参照信号の伝送に対応する受信した成形ビームが、同じ信号リソースセットに配置される場合にのみ、上記アップリンクサウンディング参照信号を送信し、これにより、ＵＥのアップリンクサウンディング参照信号の伝送が常に、比較的最適な受信した成形ビームに基づくことを保証し、これにより、アップリンクサウンディング参照信号の伝送性能が保証される。
【０１７１】
更にオプションで、図７ｃに示されるように、ＵＥが、基地局により通知される少なくとも１つの信号リソースセットを取得し、ＵＥが第ｉ回目に信号リソースインデックスを送信する必要があると決定し、ここでｉは２に等しいか又はそれより大きい正の整数である場合に、本方法は以下の段階を更に備えてよい。
【０１７２】
９０１１：ＵＥが、第ｉ回目にＵＥにより送信される信号リソースインデックスに対応する信号リソースセットが、ＵＥにより第（ｉ−１）回目に送信される信号リソースインデックスに対応する信号リソースセットと同じか否か決定し、第ｉ回目にＵＥにより送信される信号リソースインデックスに対応する信号リソースセットが、ＵＥにより第（ｉ−１）回目に送信される信号リソースインデックスに対応する信号リソースセットとは異なる場合に、段階９０１２を実行する。或いは、第ｉ回目にＵＥにより送信される信号リソースインデックスに対応する信号リソースセットが、ＵＥにより第（ｉ−１）回目に送信される信号リソースインデックスに対応する信号リソースセットと同じ場合に、段階９０１３を実行する。
【０１７３】
９０１２：ＵＥが、第ｉ回目の信号リソースインデックスを基地局へ送信する。
【０１７４】
９０１３：ＵＥが、第ｉ回目の信号リソースインデックスを送信する段階をスキップする。
【０１７５】
信号リソースインデックスは、ＵＥによりモニタリングされる最適な信号リソースに対応する信号リソースインデックスであってよい。信号リソースインデックスに対応する信号リソースセットは、信号リソースインデックスに対応する最適な信号リソースが配置される信号リソースセットであってよい。
【０１７６】
このように、本解決手段を用いることで、信号リソースインデックスを送信する場合に、ＵＥは、対応する信号リソースセットが異なる場合にのみ、上記信号リソースインデックスを送信してよく、これにより、ＵＥが、ひとたび最適な信号リソースを検出すると最適な信号リソースに対応する公衆信号リソースインデックスを基地局へ報告してしまうことを回避し、ＵＥの電力消費を大いに低減する。
【０１７７】
前述は主に、基地局及びＵＥの相互交流という視点から本発明の実施形態で提供される解決手段を説明した。前述の機能を実現すべく、基地局及びＵＥが、各機能を実行するための対応するハードウェア構成及び／又はソフトウェアモジュールを備えることが理解されてよい。当業者であれば、本明細書に開示される実施形態を参照して説明される複数の例におけるユニット及びアルゴリズムの段階が、ハードウェア、又は、ハードウェア及びコンピュータソフトウェアの組み合わせにより実現されてよいことが、容易に認識できよう。これらの機能がハードウェアによって実行されるか又はハードウェアを駆動するコンピュータソフトウェアによって実行されるかは、技術的解決手段の特定の用途及び設計制約条件によって決まる。当業者であれば、特定の用途毎に説明した機能を実現すべく、異なる複数の方法を用いることができるが、そうした実施例は、本発明の範囲を越えるとみなされるべきではない。
【０１７８】
本発明の本実施形態において、基地局及びＵＥの機能ユニットは、前述の方法例に基づいて分割されてよい。例えば、各機能ユニットは、各機能に従って分割されてよく、又は、２又はそれより多い機能が、１つの処理ユニットに統合されてもよい。統合されたユニットは、ハードウェア形式で実現されてよく、又は、ソフトウェア機能ユニット形式で実現されてもよい。本発明の実施形態においてユニットの区分は一例であり、単に論理機能区分に過ぎないことに留意すべきである。実際の実装では、別の分割態様が存在してよい。
【０１７９】
機能ユニットが機能に対応して分割される場合、図８は、前述の実施形態で用いられる基地局８０の実行可能な概略構造図である。基地局８０は、送信ユニット８０１及び受信ユニット８０２を有する。送信ユニット８０１は、図７の手順Ｓ７０１及びＳ７０２を実行する場合に、基地局をサポートするように構成される。受信ユニット８０２は、ＵＥにより送信される信号を受信する手順を実行する場合に基地局をサポートするように構成されてよい。
【０１８０】
統合されたユニットが用いられる場合、図８に示される基地局８０における送信ユニット８０１及び受信ユニット８０２は、図２に示される基地局１０の送受信機１０１１に統合されてよく、図７の手順Ｓ７０１及びＳ７０２、並びに、ＵＥにより送信される信号を受信する手順を実行する場合に、基地局をサポートする。
【０１８１】
機能ユニットが機能に対応して分割される場合、図９は、前述の実施形態で用いられるＵＥ９０の実行可能な概略構造図である。基地局９０は、受信ユニット９０１、決定ユニット９０２及び送信ユニット９０３を有する。受信ユニット９０１は、図７の手順Ｓ７０１及びＳ７０２を実行する場合に、ＵＥをサポートするように構成される。決定ユニット９０２は、決定手順を実行する場合に、ＵＥをサポートするように構成される。送信ユニット９０３は、基地局へ信号を送信する手順を実行する場合に、ＵＥをサポートするように構成されてよい。
【０１８２】
統合されたユニットが用いられる場合、図９に示されるＵＥ９０における受信ユニット９０１及び送信ユニット９０７は、図２に示されるＵＥ２０の送受信機２０１１に統合されてよく、図７の手順Ｓ７０１及びＳ７０２、並びに、基地局へ信号を送信する手順を実行する場合に、基地局をサポートする決定ユニット９０２は、実装のため、図２に示されるＵＥ２０のプロセッサに統合されてよく、又は、プログラムコードの形式でＵＥ２０のメモリに格納され、決定ユニット９０２の機能を実行すべくＵＥ２０のプロセッサにより呼び出されてよい。
【０１８３】
前述された方法の実施形態における複数の段階の全ての関連内容が、対応する機能ユニットの機能説明に引用されてよい。ここでは、詳細を再び説明されない。
【０１８４】
更なる別の態様によれば、本発明の実施形態は、信号処理システムを更に提供する。図１０に示されるように、信号送信システムは、基地局８０及び少なくとも１つのＵＥ９０を備えてよい。
【０１８５】
本発明の本実施形態において提供される信号送信システムは、図７、図７ａ、図７ｂ及び図７ｃに示される信号送信方法を実装する。従って、前述の信号送信方法と同じ有益な効果を得ることができる。ここでは、詳細を再び説明されない。
【０１８６】
当業者であれば、１つ又は複数の前述の例において、本発明で説明された複数の機能は、ハードウェア、ソフトウェア、ファームウェア、又はこれらの組み合わせを用いて実現されてよいことが、認識されるべきである。本願がソフトウェアにより実装される場合、これらの機能は、コンピュータ可読媒体に格納されてよく、又はコンピュータ可読媒体における１つ又は複数の命令又はコードとして伝送されてもよい。コンピュータ可読媒体は、コンピュータ記憶媒体及び通信媒体を含み、ここで、通信媒体は、コンピュータプログラムをある場所から別の場所へと伝送可能な任意の媒体を含む。記憶媒体は、一般又は専用のコンピュータがアクセス可能な任意の利用可能な媒体であってよい。
【０１８７】
本発明の目的、技術的解決手段、及び、利益効果は、前述の具体的な実施形態において更に詳細に説明される。前述の説明は、単なる本発明の具体的な実施形態に過ぎず、本発明の保護範囲の限定を意図するものではないことが理解されるべきである。本発明の技術的解決手段に基づいてなされる、いかなる変更、均等物の置換、改良も、本発明の保護範囲内に含まれるものとする。
【図１】
2019530301.tif 000003
【図２】
2019530301.tif 000004
【図３】
2019530301.tif 000005
【図３ａ】
2019530301.tif 000006
【図３ｂ】
2019530301.tif 000007
【図３ｃ】
2019530301.tif 000008
【図４】
2019530301.tif 000009
【図５】
2019530301.tif 000010
【図６】
2019530301.tif 000011
【図７】
2019530301.tif 000012
【図７ａ】
2019530301.tif 000013
【図７ｂ】
2019530301.tif 000014
【図７ｃ】
2019530301.tif 000015
【図８】
2019530301.tif 000016
【図９】
2019530301.tif 000017
【図１０】
2019530301.tif 000018
【国際調査報告】
2019530301.tif 000019
2019530301.tif 000020
2019530301.tif 000021
2019530301.tif 000022